(57)【要約】      （修正有）【課題】ゴルフシューズのアウトソールに使用される着脱式の滑り止めの提供。【解決手段】ゴルフシューズの受け口に係合するための、取り外し可能に取り付けられる３要素の滑り止め組立体に向けられている。ロック要素が靴の開口受け口にバイアス状態で挿入され、また、下方に伸びる舌部の幾何構造を具備して、装着時に較べて取り外し時により大きな力が必要なようになっている。外側要素はロック要素に組み合わされ、芝生をしっかりと掴むために伸びる複数の堅固な柱部を実現する。柱部の外側壁面は基部から直角に伸び、基部の外側周囲内に収まる。内側要素は、外側要素内に取り付けられ、当該要素の中央領域から径方向に外側に伸びる複数の弾性脚部を具備する。【選択図】図１
2008080127.tif 000002
【特許請求の範囲】
【請求項１】
ゴルフシューズの開口受け口と係合するように適合化された着脱式滑り止め組立体において、
上記開口受け口と係合する挿入部材を具備するロック要素と、
上記ロック要素に摩擦フィット（摩擦係合）し、かつ芝生を掴むための複数の等間隔に離間した堅固な柱部を具備する外側要素と、
上記ロック要素および上記外側要素を係合させる手段を具備し、かつ、頂部面の中央領域から径方向の外側に伸びる弾力性のある複数の脚部を具備して芝生の把持力を増大させる内側要素とを有することを特徴とする滑り止め組立体。
【請求項２】
上記ロック要素は、
中心位置に設けられた丸い開口を具備する全体として円形のディスクと、
上記ディスクの底面から下方に垂直に伸び、上記ゴルフシューズの開口受け口に錐揉んでいくスパイラル状スレッドを具備する挿入部材と、
上記ディスクの底面のエッジのあたりで離間した態様で下方に伸び、上記ゴルフシューズの開口受け口内で圧縮フィットし、一側にカム面および他側に垂直面を具備する、複数の柔軟なロック舌部とを有し、
上記ロック要素が上記開口受け口内で第１の方向に回転するときに、上記ロック舌部の各々が上記開口受け口に対して後退位置にバイアスされ、上記ロック要素が約６０°回転すると、上記ロック舌部が復元し、上記滑り止め組立体を取り除くために取り付けるときよりも大きな力が必要になるようにした請求項１記載の滑り止め組立体。
【請求項３】
上記ロック要素は約７０Ｄの硬度を有する固い熱可塑性材料またはナイロンから製造される請求項２記載の滑り止め組立体。
【請求項４】
上記外側要素は、
上記ロック要素の上記円形のディスクと摩擦フィットする形状および寸法のリセスを形成する底面を具備する基部と、
上記基部を貫通して設けられた全体として矩形のスロットと、
上記基部の上記頂部から外側に伸び、その外側寸法が上記基部の周囲からはみ出ないようにされた、複数の堅固な等間隔に離間された柱部とを有する請求項２記載の滑り止め組立体。
【請求項５】
上記複数の柱部は、４つの柱部を含む請求項４記載の滑り止め組立体。
【請求項６】
上記柱部の各々は、遠心端にノッチを形成し把持力を増大させる請求項４記載の滑り止め組立体。
【請求項７】
上記内側要素は、
上記外側要素の上記スロット内に固着される寸法および形状の全体として矩形の板部と、
上記板部の底面から下方に伸びる円筒形の連結部材であって、上記ロック要素と摩擦フィットする形状および寸法であるものを有する係合手段とを有する請求項４記載の滑り止め組立体。
【請求項８】
上記複数の弾性脚部はアーチ形状であり、構造上の強度を増大させ、土塊除去を容易にするスポイラを具備する請求項７記載の滑り止め組立体。
【請求項９】
上記複数の弾性脚部は４本ある請求項７記載の滑り止め組立体。
【請求項１０】
上記弾性脚部の各々は隣接する柱部の間に配置される請求項７記載の滑り止め組立体。
【請求項１１】
上記内側要素は、ショアＡ硬度が約８０から１００の範囲の柔軟な熱可塑性ウレタンから製造される請求項７記載の着脱式滑り止め組立体。
【請求項１２】
上記連結部材の底端にスロット状の溝が形成され上記ロック要素との摩擦係合を確実にする請求項７記載の滑り止め組立体。
【請求項１３】
つぎの要素を有する３要素滑り止め組立体。
（ａ）ロック要素
このロック要素は、
その中心位置に設けられた開口を具備するディスクと、
ゴルフシューズの開口受け口内に当該ロック要素を係合させる挿入部材とを有する。
（ｂ）外側要素
この外側要素は、
上記ロック要素の円形のディスクに摩擦フィットする形状および寸法の下側リセスを形成する底面を具備する基部と、
上記基部に設けられたスロットと、
上記基部の上記頭部面から上方に伸びて芝生に確実に接触する複数の堅固な柱部とを有する。
（ｃ）内側要素
この内側要素は、
上記外側要素の上記スロット内に固定して取り付けられる形状および寸法の全体として矩形の板部と、
上記板部の頂部面の円形領域から径方向外側に伸び、それぞれ上記外側要素の隣接する柱部の間に配置された複数の弾性脚部と、
上記板部の底面から下方に伸び、上記ロック要素と摩擦フィットして一体の滑り止め組立体を形成する形状および寸法の、円筒形の連結部材とを有する。
【請求項１４】
上記ロック要素の上記挿入部材は、
上記ディスクの底面のエッジのあたりで下方に伸び、上記シューズの開口受け口内で圧縮フィットする、複数の離間した柔軟なロック舌部を有し、
上記ロック要素が上記開口受け口内で第１の方向に回転するときに、上記ロック舌部の各々が上記開口受け口に対して後退位置にバイアスされ、上記ロック要素が約６０°回転すると、上記ロック舌部が復元し、上記滑り止め組立体を取り除くために取り付けるときよりも大きな力が必要になるようにした請求項１３記載の滑り止め組立体。
【請求項１５】
上記複数の柱部は、４つの柱部を有する請求項１３記載の滑り止め組立体。
【請求項１６】
上側部分と、
上記上側部分と結合され、複数の開口受け口を具備するソールと、
それぞれ受け口の１つと適合化された、複数の着脱式の滑り止めとを有し、
上記滑り止めの各々は、
上記開口受け口と係合するロック要素と、
上記ロック要素と摩擦フィットする外側要素と、
上記外側要素および上記ロック要素を係合させる内側要素とを有することを特徴とするゴルフシューズ。
【請求項１７】
上記ロック要素は、
中心位置に設けられた丸い開口を具備する全体として円形のディスクと、
上記ディスクの底面から下方に垂直に伸び、上記ゴルフシューズの開口受け口に錐揉んでいくスパイラル状スレッドを具備する挿入部材と、
上記ディスクの底面のエッジのあたりで離間した態様で下方に伸び、上記ゴルフシューズの開口受け口内で圧縮フィットし、一側にカム面および他側に垂直面を具備する、複数の柔軟なロック舌部とを有し、
上記ロック要素が上記開口受け口内で第１の方向に回転するときに、上記ロック舌部の各々が上記開口受け口に対して後退位置にバイアスされ、上記ロック要素が約６０°回転すると、上記ロック舌部が復元し、上記滑り止め組立体を取り除くために取り付けるときよりも大きな力が必要になるようにした請求項請求項１６記載のゴルフシューズ。
【請求項１８】
上記外側要素は、
上記ロック要素の上記円形のディスクと摩擦フィットする形状および寸法のリセスを形成する底面を具備する基部と、
上記基部を貫通して設けられた全体として矩形のスロットと、
上記基部の上記頂部から外側に伸び、その外側寸法が上記基部の周囲からはみ出ないようにされた、複数の堅固な等間隔に離間された柱部とを有する請求項１７記載のゴルフシューズ。
【請求項１９】
上記複数の柱部は、４つの柱部を有する請求項１８記載のゴルフシューズ。
【請求項２０】
上記内側要素は、
上記外側要素の上記スロット内に固定して取り付けられる形状および寸法の全体として矩形の板部と、
上記板部の頂部面の円形領域から径方向外側に伸び、それぞれ上記外側要素の隣接する柱部の間に配置された複数の弾性脚部と、
上記板部の底面から下方に伸び、上記ロック要素と摩擦フィットして一体の滑り止め組立体を形成する形状および寸法の連結部材とを有する請求項１８記載のゴルフシューズ。
【発明の詳細な説明】
【技術分野】
【０００１】
この発明は、全般的には運動靴に関し、より具体的には、ゴルフシューズのアウトソールに使用される着脱式の滑り止めに関する。より詳細には、滑り止め菜、当該滑り止めの中央領域から伸びる弾力性のある複数の脚部を具備する、３つの要素からなるデザインのものである。
【背景技術】
【０００２】
ゴルフ場のグリーン、ゴルフ場のクラブハウスの木の床やカーペットが、ゴルファの運動靴の金属スパイクにより損傷を受けることが広く報告されている。芝生面との摩擦を向上させることが好ましいが、ゴルフコースの芝生とくにパットのグリーン表面に大きな金属性スパイクが悪影響を与えることとなり、そのままその要請に応えることができない。ゴルフシューズに共通した突出した金属製スパイクは、ゴルフコースにダメージを与えることがより少ない、代替的なスパイクおよび摩擦滑り止めに、一貫して代替されてきている。実際、多くのゴルフコースでは金属製スパイクの使用が完全に禁止さえている。パット面に残されたスパイクの痕跡を抜けるようにパットを行なわなければならないときにゴルファが苛立ちを感じるのはもちろんであるが、グランド整備要員もその日の最後にパットグリーンを修復するのに多くの時間を費やさねばならず、問題である。
【０００３】
金属製のスパイクに特有のそのような問題を緩和するために、ゴルフシューズメーカは非金属製の滑り止め（プラスチックスパイク）のゴルフシューズを提供している。芝生面との摩擦を向上させるという要請は広く知られており、多くのユーザは、プラスチック製の滑り止めが金属製のスパイクに較べて地面を把持する上で万能ではないと認識している。プラスチック製の滑り止めについては、ゴルフコースで優れた摩擦力を実現することのみでなく、ゴルファが横切らなくてはならない草や砂のない地形、例えば、階段、アスファルト、タイルオークや他の種類のフローリングの上でも安全な摩擦力を実現することが強く望まれている。プラスチック製の滑り止めは、一般に、通常の金属製のスパイクより短い突出部を有しており、そのような滑り止めが地面からの衝撃をある程度吸収するため、その履き心地が改善されている。プラスチック製の滑り止めは、また、通常の金属製スパイクの靴に較べて短くて接触点も多いので、安定性の上でも優れている。ただし、上述のとおり、従来のプラスチック製滑り止めは、金属製スパイクとは違って、一般的に草や芝生をがっちりとつかむことができない。滑り止めやスパイクに望まれる点は草をがっちりと掴むことであるから、この点は重要である。とくに、従来のプラスチック製滑り止めは、金属製スパイクに較べて、ぬれた草、枯れた草、スロープにおいてグリップがおちる。プラスチック製滑り止めは、汚れないようにすることがとても難しいということも良く知られており、この点は悪天候でプレーするゴルファにとって深刻である。いくつかの製造業者は、この問題をよく認識しており、スパイクから土塊を取り除く特殊な清掃道具を提供している。
【０００４】
この発明はこれらの問題を解決する改善されたプラスチック製滑り止めを提供するものである。
【発明の開示】
【０００５】
この発明の一側面によれば、４要素滑り止め組立体が提供され、この組立体は、ロック要素、外側要素、および内側要素を含む。ロック要素は運動靴、より詳細にはゴルフシューズのソールに設けられた開口受け口と係合する。内側要素は外側要素をロック要素に契合させて滑り止めを形成する。
【０００６】
この発明は、外側要素から伸びる比較的固く堅固な複数の柱部を含み、こられ柱部が滑り止めの外側周辺に止まって芝生を強く掴む。また、この滑り止めは、内側要素の頂表面の中央領域から径方向外側に伸びる弾力性のある脚部を複数含み、これら脚部が芝生を掴んでゴルファに芝生上での摩擦を提供する。
【０００７】
この発明の他の側面は、ロック要素から伸びる挿入部材により、滑り止め組立体を靴の開口受け口と係合させる。この挿入部材は、受け口に錐揉みされていき、複数の離間した柔軟で壊れやすいロック舌部（ディスクの裏面エッジ周囲を下方に伸びる）が、靴の開口受け口と圧縮フィットする。ロック要素が開口受け口の内部で第１の方向に回転させられると、ロック舌部の各々が開口受け口に対して後退位置にバイアスされ、そののち、ロック要素が第１の方向に約６０°回転させられると、元の長さに戻る。ロック舌部はカム面を有し、これにより滑り止めを受け口に錐揉みさせるのが容易となり、また舌部は垂直面を有し、これにより、滑り止め部を取り外すためには取り付けるよりもかなり大きな力が必要なようにしている。
【発明を実施するための最良の形態】
【０００８】
図面を参照して説明する。改良された滑り止め組立体（単に「滑り止め」とも呼ぶ）は全体として参照番号１００で示される。滑り止め組立体１００は３つの要素を含む。すなわち、ロック要素１０１、外側要素１０２、および、内側要素１０３を含む。ロック要素１０１は、運動靴、好ましくはゴルフシューズの開口受け口に係合するように構成されている。（靴の連結機構は図示しないが、靴の例や受け口のパターンの例は例えば米国特許第６，７０８，４２６号および米国特許第６，４７４，００３号に示されている。）外側要素１０２は、芝生と係合する手段を具備している。これについては後述する。内側要素１０３は、外側要素１０２を貫通してロック要素と摩擦係合する連結部材を具備し１つの滑り止め組立体１００を構成する。外側要素１０２および内側要素１０３は、８０〜１００のショアＡ硬度、好ましくは９８のショアＡ硬度の柔軟な熱可塑性ウレタンから製造される。ロック要素１０１は、好ましくは、約７０Ｄの硬度の熱可塑性材料またはナイロンから製造される。
【０００９】
図１〜図７に示されるように、滑り止め組立体１００はロック要素１０１を含み、このロック要素１０１は運動靴のソールに設けられた複数の開口受け口（図示しない）の１つに係合されてよい。ゴルフシューズの開口受け靴の数は色々であるが、爪先側に約５〜７個、踵側に約２〜４個である。わかりやすくするために、以下の説明では、靴の底に連結される、滑り止めの部分を「底」と呼び、芝生に係合する部分を「頂部」と呼ぶ。
【００１０】
ロック要素１０１は、全体として円形のディスク１０６を有している。このディスク１０６は底面１０７、平坦の頂部面１０８および円形開口１０９を有している。円形開口１０９は、ディスク１０６のほぼ中央に設けられ、内側要素１０３の連結部材１０４を摩擦係合状態で受けるようになっている。ロック要素１０１は、さらに、円筒形上の内挿部材１１０を有している。この内挿部材１１０は、ゴルフシューズの開口受け口の１つに錐揉みするように螺旋状のスレッド１１１を有している。滑り止め組立体１００を靴の受け口に取り付けまたは取り外すためにゴルフ滑り止めツール（この業界では周知であるので図示しない）を用いることが好ましい。滑り止め組立体１００は、一旦、受け口に取り付けられると、内挿部材１１０の中心線の周りを時計回り方向に約６０度回転させられ、そこでロックされる。ロック要素１０１は、また、複数の柔軟なロック舌部１０５を有し、これら舌部１０５は、ディスク１０６の底面１０７の外側エッジあたりを外側に離間して配置される。各ロック舌部１０５の元々の形状は、カム面１０５ａと非カム垂直面１０５ｂを含む。滑り止め１００が当初に靴の受け口にきり揉まれていくときに、ロック舌部１０５の形状および寸法は、靴の受け口（図示しない）中の側面リブから若干離れたものとなっている。滑り止め１００がすこし錐揉まれると、ロック要素１０１の下側エッジが靴の受け口の上側リムの少し上になり、ロック舌部１０５は、靴の受け口の突起部上に「乗る」ロック舌部カム面１０５ａにより与えられるカム動作により変形する。さらに回転が加わると、ロック舌部１０５は受け口の突起部を超えて強固な連結がなされる。ロック舌部１０５はこののち元の形状に（ある程度）復帰する。消耗性の舌部１０５は多くの突起を変形しつつ乗り上げ、乗り越えていく。受け口の突起部の間の干渉領域およびロック舌部１０５は、靴の利用時に、滑り止め１００を固定する。内挿部材１１０が十分に回転すると、これらロック舌部１０５は靴の受け口の適宜のくぼみの中で復元して伸びる。これら受け口の構造はロック舌部１０５の寸法に適合させられている。この幾何学構造およびこの相互作用によるロック動作では、滑り止め組立体１００を取り付けるより取り外すために、より大きなトルクを要する。
【００１１】
外側要素１０２は、全体として円形の基部１１４を有し、この基部１１４の中央位置に矩形のスロット１１５が設けられている（基部１１４の作用は後述する）。複数の、好ましくは、４つの柱部１２０が、等間隔に離間されて、基部１１４の頂部面１１８から突出し芝生と堅固な接触点を形成するようになっている。柱部１２０は比較的堅固で、柱部１２０の各々の遠心端にノッチ１１３が形成されている。柱部１２０の各々の遠心端の形状は比較的平坦または鈍い形状となっている。外壁面１１９は全体として頂部面１１８と直交しており、基部１１４の外周を越えて伸びない。基部１１４の頂部面１１８からは２つの楕円形のジグ鞘１３５が伸び、これらは、標準的なゴルフ滑り止めジグの挿入を可能にするような距離だけ離間されている。滑り止めジグは一対の突起を具備し、こられ突起が鞘１３５の円形孔１３６に挿入可能であり、時計回り方向に回転させると、滑り止めが靴に締めつけられ、また反時計回り方向に回転させると、粗縁止めが取り外される。基部１１４の底面１１７はリセス１１６を具備し、このリセス１１６の形状および寸法はロック要素１０１の円形ディスク１０６の外側周囲と摩擦フィットするようなものになっている。
【００１２】
この発明により実現される主たる改良は、内側要素１０３の構造である。この要素は、板部１２１を有し、この板部１２１は、外側要素１０２の矩形スロット１１５に適合するような大きさおよび形状の平坦な底面１２５を有し、内側要素１０３が、外側要素１０２に一体に結合されるようになっている。頂部面１２７は円形形状をしており、ここから複数、好ましくは４つのアーチ状の弾性脚部１２８が径方向外側に伸びて、芝生の把持を増強させる。各脚部１２８は、翼状のスポイラ１２９を有し、強度を増強させ、また、土塊を除去しやすく、さらに、滑り止め組立体１００に芝生が詰まるのを防止しやすくなっている。連結部材１０４が内側要素の底から下方に伸び、この連結部材１０４が、ロック要素１０１の円形開口１０９を摩擦フィットで貫通する形状および寸法の円筒本体を具備し、すべての部品を一体の滑り止め組立体として固定する。連結部材１０４の挿入端にスロット溝１３４が形成され要素１０３および１０１との摩擦フィットを容易にする。リップ１３５が挿入端に形成され、連結部材１０４が十分に滑り止め組立体１００を貫通したときに、先の要素を確実に固定する。
【００１３】
当業者が上述の発明において他の用途、修正、および／または変更を行えることに留意されたい。そのような要素、修正または変更は上述の記載の範囲内のものであり、例示的なもので、制約を意図しない。この発明の範囲は添付の特許請求の範囲によってのみ制限される。
【図面の簡単な説明】
【００１４】
【図１】ゴルフシューズの４要素滑り止め組立体を、頂部位置から示す分解図である。
【図２】図１の４要素滑り止め組立体を底部斜視図において示す分解図である。
【図３】組立済みの状態で示す４要素滑り止め組立体の頂部側の平面図である。
【図４】図一の４要素滑り止め組立体の底部（アタッチメント）の平面図である。
【図５】把持部材を頂部に配置して示す図１の滑り止め組立体の側面図である。
【図６】滑り止め組立体の底部斜視図である。
【図７】滑り止め組立体の頂部斜視図である。
【符号の説明】
【００１５】
１００ 滑り止め組立体
１０１ ロック要素
１０２ 外側要素
１０３ 内側要素
１０４ 連結部材
【図１】
2008080127.tif 000003
【図２】
2008080127.tif 000004
【図３】
2008080127.tif 000005
【図４】
2008080127.tif 000006
【図５】
2008080127.tif 000007
【図６】
2008080127.tif 000008
【図７】
2008080127.tif 000009
【外国語明細書】
2008080127.tif 000010
2008080127.tif 000011
2008080127.tif 000012
2008080127.tif 000013
2008080127.tif 000014
2008080127.tif 000015
Ｃｌａｉｍｓ
2008080127.tif 000016
2008080127.tif 000017
2008080127.tif 000018
2008080127.tif 000019
2008080127.tif 000020
１．Ａｂｓｔｒａｃｔ
2008080127.tif 000021
２．Ｒｅｐｒｅｓｅｎｔａｔｉｖｅ  Ｄｒａｗｉｎｇ
Ｆｉｇ．１
2008080127.tif 000022
2008080127.tif 000023
2008080127.tif 000024
2008080127.tif 000025